(57)【要約】【課題】広く一般的に普及している従来からの十三絃用箏、十七絃用箏に使用可能であり、かつ箏柱の脚部の角が箏の磯を傷つけることなく一の絃の音程調整を行う事ができる箏柱を提供する。【解決手段】箏柱は、箏の絃を支える溝を有する頂上部と、該頂上部から連なり、該箏の一の絃に用いた場合に該箏の龍甲における二の絃側の位置に接する第一底面を有する龍甲側脚部と、該頂上部から連なり、上部が該龍甲側脚部の上部と連なっており、該一の絃に用いた場合に該箏の該一の絃側の磯に接する斜面を有する磯側脚部と、該磯側脚部から該龍甲側脚部に向かって凸状に伸びており、該一の絃に用いた場合に該龍甲における該一の絃側の位置に接する第二底面を有する中央脚部とを備える。【選択図】図１
0003234159.tif 000002
【実用新案登録請求の範囲】
【請求項１】
箏の絃を支える溝を有する頂上部と、
前記頂上部から連なり、前記箏の一の絃に用いた場合に前記箏の龍甲における二の絃側の位置に接する第一底面を有する龍甲側脚部と、
前記頂上部から連なり、上部が前記龍甲側脚部の上部と連なっており、前記一の絃に用いた場合に前記箏の前記一の絃側の磯に接する斜面を有する磯側脚部と、
前記磯側脚部から前記龍甲側脚部に向かって凸状に伸びており、前記一の絃に用いた場合に前記龍甲における前記一の絃側の位置に接する第二底面を有する中央脚部と、
を備える箏柱。
【請求項２】
前記第一底面は、前記龍甲のカーブに沿った曲面である、
請求項１に記載の箏柱。
【請求項３】
前記第二底面は、前記龍甲のカーブに沿った曲面である、
請求項１又は２に記載の箏柱。
【考案の詳細な説明】
【技術分野】
【０００１】
本考案は、箏柱に関する。
【背景技術】
【０００２】
箏（こと）は、我が国で古くから使用されている伝統的弦楽器であり、一般的には大きく十三絃用箏と十七絃用箏との二種類存在する。従来から、箏においては、箏の胴の上面（龍甲）に設置され、その上に渡す絃を支え位置を動かすことによって箏が奏でる音程を調整する箏柱（ことじ）が知られている。十三絃用箏の箏柱と十七絃用箏の箏柱の仕様態様については大差がないため、主に十三絃用箏及び箏柱についてその仕様態様を説明する。
【０００３】
一般的な箏には十三本の絃が使用されており、奏者側が高音に奏者側と反対側が低音になるように絃が張られており、絃の数だけ適切な音程に調整するために箏柱が使用される。各絃は、奏者側と反対側から順に、即ち低音側から順に、一、二、三、四、五、六、七、八、九、十、斗（と）、為（い）、巾（きん）と呼ばれている。一の絃から為の絃までの絃には基本的に同じ形状の箏柱が用いられるが、巾の絃には巾柱（きんじ）と呼ばれる専用の箏柱が用いられている。
【０００４】
二の絃から為の絃までに用いられる箏柱は、ゆるやかなカーブを描く箏の龍甲に箏柱の二つの脚部の底面が接するように配置される。一の絃及び巾の絃に用いられる箏柱は、箏柱の二つの脚部のうち一方の底面が箏の龍甲に接するように、もう一方が箏の胴の側面（磯）に接するように配置される。巾の絃には専用の箏柱である巾柱が用いられている為、箏の龍甲には巾柱の一方の脚部の底面が接しており、箏の磯にはもう一方の脚部の側面が接している。一方、一の絃には二の絃から為の絃に用いられる箏柱と同じ箏柱が用いられる為、箏の龍甲には箏柱の一方の脚部の底面が接している一方で、箏の磯にはもう一方の脚部の角が接している。
【０００５】
箏における音程の調整は、箏柱に絃を渡した状態で箏柱の位置を左右に動かすことによって行われる。これに関して、一の絃の音程の調整においては十三絃用箏、十七絃用箏ともに使用する度に箏柱の脚部の角が箏の磯を擦ることによって、箏の磯を傷つけてしまうという問題がある。
【０００６】
これを解決すべく、箏胴の前面板に、一の箏柱の一方の脚部に形成した凹欠を係合する桟を取付け、箏柱の一方の脚部に前記桟に係合する凹欠を設け、該一方の脚部に止ねじをねじ付けてなり、前記桟に前記凹欠を嵌合して止ねじにて桟に一の箏柱を緊締してなることを特徴とする箏柱構造が特許文献１として開示されている。
【先行技術文献】
【特許文献】
【０００７】
【特許文献１】実開平５−２７７９３号公報
【考案の概要】
【考案が解決しようとする課題】
【０００８】
しかしながら、特許文献１に記載の技術では、箏柱の脚部の角が箏の磯を傷つけることはないものの、箏の胴自体に特殊な加工をする必要があり、広く一般的に普及している箏に用いて箏の磯を傷つけることなく一の絃の音程調整を行うことができないという問題があった。
【０００９】
本考案は、このような課題に鑑みてなされたものであり、その目的は、従来の箏に使用可能であり、かつ永い使用によっても箏柱の脚部の角が箏の磯を傷つけることなく一の絃の音程調整を行う事ができる箏柱を提供することにある。
【００１０】
また、本考案のさらなる目的は、一の絃の音響効果をより良くする箏柱を提供することにある。
【課題を解決するための手段】
【００１１】
本考案の第一態様に係る箏柱は、箏の絃を支える溝を有する頂上部と、前記頂上部から連なり、前記箏の一の絃に用いた場合に前記箏の龍甲における二の絃側の位置に接する第一底面を有する龍甲側脚部と、前記頂上部から連なり、上部が前記龍甲側脚部の上部と連なっており、前記一の絃に用いた場合に前記箏の前記一の絃側の磯に接する斜面を有する磯側脚部と、前記磯側脚部から前記龍甲側脚部に向かって凸状に伸びており、前記一の絃に用いた場合に前記龍甲における前記一の絃側の位置に接する第二底面を有する中央脚部とを備える。
【００１２】
本考案の第二態様に係る箏柱は、前記第一底面が前記龍甲のカーブに沿った曲面である。
【００１３】
本考案の第三態様に係る箏柱は、第二底面が前記龍甲のカーブに沿った曲面である。
【考案の効果】
【００１４】
本考案によれば、従来の箏に使用可能であり、かつ箏柱の脚部の角が箏の磯を傷つけることなく一の絃の音程調整を行う事ができる箏柱を提供することができる。
【００１５】
また、本考案によれば、一の絃の音響効果をより良くする箏柱を提供することができる。
【図面の簡単な説明】
【００１６】
【図１】本考案の一実施形態に係る箏柱の斜視図である。
【図２】本考案の一実施形態に係る箏柱を箏に使用した状態を示す斜視図である。
【図３】本考案の一実施形態に係る箏柱を箏に使用した状態を示す斜視図の拡大図である。
【図４】従来の箏柱を使用した場合における箏の一の絃の音の周波数特性を示す図である。
【図５】本考案の一実施形態に係る箏柱を使用した場合における箏の一の絃の音の周波数特性を示す図である。
【考案を実施するための形態】
【００１７】
図１は、本考案の一実施形態に係る箏柱１の斜面図である。
【００１８】
図１に示すように、本実施形態に係る箏柱１は、象牙や鯨骨、プラスチックなどで形成されており、龍甲側脚部１０、磯側脚部１１、中央脚部１２及び頂上部１３から構成される。
【００１９】
龍甲側脚部１０は、箏柱１の脚部の一つであり、頂上部１３から連なっており、箏の龍甲の二の絃側の位置に接する第一底面１０１を有する。磯側脚部１１は、箏柱１の脚部の一つであり、頂上部１３から連なっており、上部が龍甲側脚部１０と連なっており、箏の磯の面に密着するように面取りされた部分の斜面１１１を有する。中央脚部１２は、箏柱１の脚部の一つであり、磯側脚部１１から龍甲側脚部１０に向かって凸状に伸びており、また、箏の龍甲の一の絃側の位置に接する第二底面１２１を有する。頂上部１３は、龍甲側脚部１０及び磯側脚部１１に連なっており、絃を通す溝１３１を有しており、箏の絃を箏における演奏する側（龍頭）から龍頭の反対側（龍尾）まで渡す役割を担う。
【００２０】
図２は、本考案の一実施形態に係る箏柱１を箏２に使用した状態を示す斜視図である。図２に示すように、箏２は、胴部の上部にあるカーブを有する上面である龍甲２１と、奏者側の側面及び奏者側とは反対側の側面である磯２２と、龍頭側の側面である口前２３と、箏全体を支える脚部であるねこ足２４と、龍甲２１の龍頭側に配置される龍角２５と、龍甲２１の龍尾側に配置される雲角２６と、十三本の絃とを備える。龍角２５は、十三本の絃を龍甲２１の龍頭側において支え、龍眼２５１を介して十三本の絃を箏２の胴部の内側へと渡す。雲角２６は、十三本の絃を龍甲２１の龍尾側において支える。
【００２１】
本実施形態に係る箏柱１は、例えば、箏２において、一の絃２０１を龍角２５から雲角２６まで渡すために用いられる。上述したように、箏柱１は、龍甲側脚部１０の第一底面１０１が龍甲２１の二の絃２０２側の位置に接し、磯側脚部１１の斜面１１１が奏者側とは反対側の磯２２の面に接するように配置される。
【００２２】
図３は、本考案の一実施形態に係る箏柱１を箏２に使用した状態を示す斜視図の拡大図である。図３に示すように、本実施形態に係る箏柱１は、例えば、一の絃２０１を龍角２５から雲角２６に渡す為に用いられ、一の絃２０１における箏柱１と龍角２５の間を奏者が弾くことによって所望の音程が出力されるように構成される。
【００２３】
箏柱１の龍甲側脚部１０の第一底面１０１及び中央脚部１２の第二底面１２１は、龍甲２１のカーブに合うカーブを有する曲面である。また、箏柱１の磯側脚部１１は、奏者側とは反対側の磯２２の面に接するように角が面取られており、面取られた斜面１１１を有する。本実施形態に係る箏柱１を一の絃２０１を弾く為に龍甲２１上に配置した場合、龍甲側脚部１０の第一底面１０１及び中央脚部１２の第二底面１２１は、龍甲２１に各面が接し、磯側脚部１１の斜面１１１は、奏者側とは反対側の磯２２の面に接することとなる。
【００２４】
図４は、従来の箏柱を使用した場合における箏２の一の絃２０１の音の周波数特性を示す図である。また、図５は、本考案の一実施形態に係る箏柱１を使用した場合における箏２の一の絃２０１の周波数特性を示す図である。図４及び図５に示すように、本実施形態に係る箏柱１を使用した場合における箏２の一の絃２０１の音の周波数特性は、従来の箏柱を使用した箏２の一の絃２０１の音の周波数特性と比較して、全周波数帯で出力が上昇しており、特に低音域の出力が改善されている。
【００２５】
これにより、本実施形態に係る箏柱１は、磯側脚部１１の斜面１１１が奏者側とは反対側の磯２２の面に接している為、箏柱１を左右に動かしたとしても、箏２の奏者側とは反対側の磯２２を傷つけることはない。よって、本実施形態に係る箏柱１は、従来の箏２に使用可能であり、かつ磯側脚部１１の角が箏２の磯２２を傷つけることなく一の絃２０１の音程調整を行うことができる。
【００２６】
また、本実施形態に係る箏柱１は、龍甲側脚部１０の第一底面１０１及び中央脚部１２の第二底面１２１のカーブが龍甲２１のカーブに合うような曲面であり、かつ、磯側脚部１１の斜面１１１が奏者側とは反対側の磯２２の面に接するように用いられる為、箏２の一の絃２０１の音響効果、例えば周波数特性をより良くすることができる。
【００２７】
なお、本考案は、上記した実施形態に限定されるものではなく、この考案の主旨を逸脱しない範囲で自由に変更できることは勿論である。あるいは、技術的に矛盾が生じない範囲で各々の構成を任意に組み合わせてもよい。なお、本考案では主に十三絃箏においての第一の絃用の箏柱について述べてきたが、十七絃箏についても、同様の形状、構造をとることができる。
【符号の説明】
【００２８】
１：箏柱、２：箏、１０：龍甲側脚部、１１：磯側脚部、１２：中央脚部、１３：頂上部、２１：龍甲、２２：磯、１０１：第一底面、１１１：斜面、１２１：第二底面、１３１：溝、２０１：一の絃、２０２：二の絃
【図１】
0003234159.tif 000003
【図２】
0003234159.tif 000004
【図３】
0003234159.tif 000005
【図４】
0003234159.tif 000006
【図５】
0003234159.tif 000007